(57)【要約】【課題】本発明は、簡単な構造で、且つ誤動作を生じない防犯灯を提供する。【解決手段】電柱などに設置され、屋外の明暗に応じて器具本体に取付けられたランプ２０を消灯・点灯させる自動点滅器３０を備えた防犯灯において、前記器具本体には、屋外の光を採光する採光孔４５と、この採光孔４５に対向させて前記自動点滅器３０の受光面３２を配置するとともに、この自動点滅器の受光面側を囲う下方開口した略筒状の暗室部９０とを設け、前記自動点滅器を前記器具本体内に直接または間接的に取付けたことを特徴とする。【選択図】図１
2006080097.tif 000002
【特許請求の範囲】
【請求項１】
電柱などに設置され細長の下方開口した器具本体と；
この器具本体下方開口を覆って取付けられる細長の上方開口した透光材からなるグロ−ブと；
グロ−ブの長手方向に沿って取付けられる片口金けい光ランプと；
片口金けい光ランプが挿入保持されるランプソケットと；
ランプソケットの後方に配置され、屋外の明暗に応じて片口金けい光ランプを消灯・点灯させる自動点滅器と；
を具備することを特徴とする屋外灯。
【発明の詳細な説明】
【技術分野】
【０００１】
本発明は、道路の電柱や公園などのポ−ルおよび工場などの外壁に設置され、蛍光ランプを使用する防犯灯に関する。
【背景技術】
【０００２】
防犯灯は、道路に立設された電柱など高所に設置使用されるもので、光電式自動点滅器（以下「自動点滅器」という）の先端に設けられている受光面で光を受光し、屋外の明暗を検知し、ランプを消灯・点灯させるものである。
【０００３】
自動点滅器は、防犯灯とは別体に設けられ、電柱などに設置される方式と、防犯灯内に設置される方式とがある。
【０００４】
防犯灯内に設置される自動点滅器は、器具本体の下方に装着されるグロ−ブを介して屋外の光を受光する方式で、この種防犯灯について、図９を参照して説明する。
【０００５】
防犯灯は、上部に合成樹脂などからなる下方開口した細長の略船形をし、安定器（図示せず）などを内蔵した器具本体５と、この器具本体５の下方に装着される上方開口した細長の略船形をした透光材からなるグロ−ブ１０とからなる。
【０００６】
上記グロ−ブ１０は器具本体５の先端に回動自在に軸支され、グロ−ブ１０の後端には、飾りねじ１１が回転可能に係着されている。係着された飾りねじ１１を器具本体５の後端に形成したねじ孔（図示せず）に螺着させて、グロ−ブ１０を器具本体５の下方に当接させて取付ける。
【０００７】
上記器具本体５の下面開口には、図示しないねじにより、板状の反射板１５が取付けられ、反射板１５の後方には、下方に突出形成したランプソケット取付板１６がグローブ１０内に位置して設けられ、このランプソケット取付板１６には、ランプソケット１７が上下方向に回動自在に支持軸１８により軸支して取付けられ、このランプソケット１７には、グローブ１０の長手方向に沿って配置されるランプ２０が挿入保持される。
【０００８】
上記ランプソケット取付板１６の後端側には、略円柱状をした自動点滅器３０が収納される下方開口した矩形筒状をした自動点滅器収納隔壁３５が、図示しない方法で器具本体５に固定され、この自動点滅器収納隔壁３５の天面には、自動点滅器用ソケット３１が図示しない方法で器具本体５に取付けられている。
【０００９】
上記自動点滅器３０の下端面には、光を受光する受光面３２が形成され、根元側には、自動点滅器用ソケット３１に挿入回転される導電材からなる円柱状の一対の導電ピン３３，３３が突出形成されている。
【００１０】
上記自動点滅器収納隔壁３５の下方に形成された略矩形状開口には、略コ字形をした覆板３６が挿入係着され、下方に開口されている前記略矩形状開口を塞ぐとともに、この覆板３６の底板３７中央には、グロ−ブ１０を介して光を採光する採光孔（小）３８が穿設されている。
【００１１】
自動点滅器の器具本体への組立て方法を説明する。
【００１２】
最初に、自動点滅器３０の導電ピン３３，３３を自動点滅器収納隔壁３５の天面に設けられている自動点滅器用ソケット３１に挿入回転して保持する。この状態では、自動点滅器３０の受光面３２は、自動点滅器収納隔壁３５の下縁より少し凹んだ状態で装着されている。さらに、覆板３６を自動点滅器収納隔壁３５の下方開口から挿入し、自動点滅器３０の受光面３２に突当て、自動点滅器収納隔壁３５に係着する。この覆板３６は、自動点滅器収納隔壁３５の下方開口を覆板３６の底板３７で塞いだ状態で係着される。
【００１３】
グロ−ブ１０の裏面１０ａは、覆板３６の底板３７と密着した状態で器具本体５の下方に装着される。さらに、自動点滅器３０の受光面３２と対向するグロ−ブ１０には、屋外の光を採光する採光孔（大）３９が穿設されている。
【００１４】
なお、自動点滅器３０はランプ２０と直列に接続され、この自動点滅器３０に内蔵された図示しないスイッチは、屋外が明るくなると遮断し、暗くなると接続する構造になっており、屋外の明暗に応じてランプが消灯・点灯する。
【００１５】
上記自動点滅器３０は、グロ−ブ１０と反射板１５とから構成されるランプ収納空間２１内に設けられた自動点滅器収納隔壁３５内に収納されているので、ランプ２０の照度の影響を受けやすい位置に設けられている。
【発明の開示】
【発明が解決しようとする課題】
【００１６】
上記のように従来の防犯灯に係る自動点滅器は、器具本体５の下方に装着されるグロ−ブ１０に形成された採光孔（大）３９を通して屋外の光を受光し、ランプ２０を消灯・点灯する。
【００１７】
このため、自動点滅器３０を取付ける自動点滅器用ソケット３１は、器具本体５の下方に取付けられるとともに、グロ−ブ１０内のランプ２０の光を遮断するため、自動点滅器３０の周囲を覆う筒状の自動点滅器収納隔壁３５が、自動点滅器用ソケット３１を覆って下方に突出形成され、グロ−ブ１０の裏面１０ａまで延出形成されている。
【００１８】
上記自動点滅器収納隔壁３５の下方に形成された開口には、この開口を覆う覆板３６が係着され、自動点滅器用ソケット３１と自動点滅器収納隔壁３５および覆板３６とにより暗室部８が形成されている。
【００１９】
自動点滅器３０は受光面３２を下方にして、自動点滅器用ソケット３１に挿入回転保持されるとともに、この受光面３２は、自動点滅器収納隔壁３５下方開口と覆板３６とにより形成される接合部３４，３４の近傍に位置して自動点滅器収納隔壁３５に収納される。なお、上記自動点滅器３０の受光面３２は、屋外の明暗を検知し、防犯灯のランプを点灯・消灯するものである。
【００２０】
このため、自動点滅器収納隔壁３５や覆板３６などの部品の精度および組立て精度が悪い場合には、自動点滅器収納隔壁３５と覆板３６とにより形成される接合部３４，３４に隙間ができる場合がある。
【００２１】
接合部３４，３４に隙間ができると、この隙間からランプ２０の光が暗室部８内に入り、暗室部８内に侵入した光を自動点滅器３０が検知し、自動点滅器のスイッチ（図示せず）を遮断する場合がある。
【００２２】
この場合には、屋外が暗くても、ランプが消灯するという誤動作が生ずる場合があるという問題があった。
【００２３】
また、防犯灯はグロ−ブ１０内に装着されたランプ２０により、例えば道路面を照らす。このため、グロ−ブ１０の周囲は明るく照らされている。明るく照らされているグロ−ブ１０内に自動点滅器３０が配置されている。この影響を少なくするため、覆板３６裏面などに黒のペンキが塗装されているなど、コストアップになるという問題があった。
【００２４】
本発明は上記の点に鑑みてなされたもので、簡単な構造で、且つ、誤動作を生じない防犯灯を提供することを課題とする。
【課題を解決するための手段】
【００２５】
前記課題を達成するために、請求項１記載の本発明の屋外灯は、電柱などに設置され細長の下方開口した器具本体と；この器具本体下方開口を覆って取付けられる細長の上方開口した透光材からなるグロ−ブと；グロ−ブの長手方向に沿って取付けられる片口金けい光ランプと；片口金けい光ランプが挿入保持されるランプソケットと；ランプソケットの後方に配置され、屋外の明暗に応じて片口金けい光ランプを消灯・点灯させる自動点滅器と；を具備することを特徴とするものである。
【発明の効果】
【００２６】
請求項１記載の発明によれば、簡単な構造で、ランプの光による自動点滅器の誤動作を防止することができる。
【発明を実施するための最良の形態】
【００２７】
防犯灯の設置場所や設置方法は、例えば、図７に示すように、器具本体４０の後壁部（図示せず）を取付バンド３を介して、道路に立設されている電柱２に巻付け固定したり、図８に示すように、工場の外壁４に設置された固定金具２５に器具本体４０の後壁部４１に図示しないねじで固定された本体取付金具４９を複数本のねじ２６で螺着固定したりする。
【００２８】
これら防犯灯は、道路に立設されている電柱、公園などのポ−ルおよび工場などの外壁に設置され、太陽が沈んで屋外が薄暗くなると、ランプに直列に接続された自動点滅器のスイッチが自動的に接続し、防犯灯のランプが点灯する。
【００２９】
さらに、太陽が昇って屋外が薄明るくなると、自動点滅器のスイッチが自動的に開放し、ランプが消灯する。
【００３０】
以下、図１ないし図６を参照して本発明の実施の形態を説明する。なお、従来技術と同一の構成部品は、同一番号を付して説明する。
【００３１】
図１は本発明の一実施の形態に係る防犯灯の全体構成を示す断面図で、防犯灯は、細長の下方開口した合成樹脂などからなる略船形の器具本体４０と、この器具本体４０の下方開口を覆って取付けられる細長の上方開口した透光材からなる略船形のグロ−ブ５０とからなっている。前記器具本体４０と前記グロ−ブ５０との合わせ目は、前方に向かった尻上がり形状となっている。
【００３２】
上記器具本体４０の先端下方にはヒンジ４３が形成され、後端下面には、グロ−ブ５０を固定する飾りねじ１１が螺着されるねじ穴４４が形成されている。
【００３３】
上記器具本体４０の上面後方端側には、図１R>１および図２に示すように、屋外の光を採光する円形状の採光孔４５が穿設され、この採光孔４５の裏面にはパッキング６１が取付けられる。このパッキング６１は、合成ゴムからなる円盤状で、中央に前記採光孔４５より少し大き目の採光孔（大）６２が形成されている。上記パッキング６１が取付けられる器具本体４０の両側には、図４に示すように、下方に向けて一対の取付ボス４６，４６が対向して突出形成されている。この取付ボス４６，４６の下面には、透光材からなる略皿状カバ−６５がリベット６３，６３により取付けられ、前記取付ボス４６，４６の外側には、自動点滅器３０が収納される下方開口し、下方に向けてリング状に突出した自動点滅器収納隔壁４７が形成されている。上記カバ−６５と自動点滅器収納隔壁４７とにより構成される内部に暗室部９０が形成されている。
【００３４】
カバ−などの器具本体への組立方法を図４ないし図６を参照して説明する。
【００３５】
パッキング６１を略皿状カバ−６５の上面に載せる。それから、前記カバ−６５を上方に移動させ、パッキング６１を採光孔４５の裏面に突当てる。この状態では、カバ−６５と取付ボス４６，４６との間には、パッキング６１を圧縮する程度の隙間が形成されている。つぎに、リベット６３，６３でカバ−６５を一対の取付ボス４６，４６に固定する。
【００３６】
上記パッキング６１は、カバ−６５上面で器具本体４０に圧縮して押付けられ、採光孔４５の裏面とカバ−６５の間に密着して取付けられる。このパッキング６１は器具本体４０内への水漏れ防止機能を有する。このため、雨が降っても、採光孔４５から器具本体４０内部に侵入することはない。
【００３７】
なお、上記カバ−６５を使用せず、パッキング６１を採光孔４５の裏面に接着材で固定し、自動点滅器３０を器具本体４０に取付ける際、自動点滅器３０の受光面３２をパッキング６１の下面に直接押圧して取付けたものであってもよい。
【００３８】
５５は図１に示すように、器具本体４０の後部に開口を残して、器具本体４０の開口に取付けられる板状をした反射板で、この反射板５５は、器具本体４０に下方に向けて立設した複数のボス４８にねじ７０で螺着固定する。この反射板５５と器具本体４０との間には、安定器６６がねじで固定されている。
【００３９】
５６は下方開口した略コ字状のランプソケット取付板で、上記反射板５５の後方にねじ７１で固定されている。このランプソケット取付板５６には、ランプソケット１７が支持軸１８で軸支され、この支持軸１８を支点として上下方向にランプソケット１７が回動する。前記ランプソケット１７には、グロ−ブ５０の長手方向に沿って取付けられるランプ２０が挿入保持され、反射板５５の前方下面にねじ７１で取付けられた下方開口したランプホルダ−５７に係合支持される。
【００４０】
７５は図１ないし図５に示すように、断面略Ｌ字形をした取付板で、取付板主体７６と反射板７７とで構成されている。前記取付板主体７６の中央上面には、自動点滅器３０が取付けられる自動点滅器用ソケット３１が上向きにねじ７２で固定され、取付板主体７６の右側下面に、グロ−ランプ６７が取付けられるグロ−ランプ用ソケット６８が図示しないねじで螺着固定されている。
【００４１】
８０は器具本体４０の後方に形成された後方開口で、図６に示すように、この後方開口８０には、器具本体４０から下方に向けて一対のボス４２，４２が突出形成され、この一対のボス４２，４２の下面に当接させて、取付板７５がねじ７３，７３で螺着固定される。この取付板７５に取付けられた自動点滅器用ソケット３１およびグロ−ランプ用ソケット６８には、それぞれ自動点滅器３０およびグロ−ランプ６７がそれぞれ装着されている。
【００４２】
取付板７５を一対のボス４２，４２に取付けた状態では、自動点滅器３０の受光面側は、カバ−６５と自動点滅器収納隔壁４７とにより形成された暗室部９０に収納されるとともに、自動点滅器３０の受光面３２は、器具本体４０の採光孔４５の裏面側に取付けられたカバ−６５の裏面側に当接または近接した状態で取付けられている。
【００４３】
透光材からなるグロ−ブ５０は、グロ−ブ５０の先端に形成されたヒンジ５１を器具本体４０の先端に形成されたヒンジ４３に組付け、これらヒンジ５１とヒンジ４３とを連結軸５３で回転自在に連結し、この連結軸５３を支点として、グロ−ブ５０は上下方向に回動する。このグロ−ブ５０は、グロ−ブ５０の後端に回動自在に係着された飾りねじ１１で器具本体４０のねじ穴４４に螺着固定され、グロ−ブ５０が器具本体４０の下方に装着される。
【００４４】
上記実施の形態の作用を説明する。
【００４５】
防犯灯のランプ２０を点灯・消灯させる自動点滅器３０の受光面３２は、器具本体４０の採光孔４５の裏面側に取付けられたカバ−６５の裏面に当接または近接した状態で取付けられ、前記受光面３２は、器具本体４０の裏面から下方に突出形成されたリング状の自動点滅器収納隔壁４７で覆われるとともに、自動点滅器３０の受光面３２側は暗室部９０に位置して配置される。
【００４６】
このため、ランプ２０の光は、自動点滅器収納隔壁４７で遮られ、自動点滅器収納隔壁４７の側面から受光面３２に入ることはない。自動点滅器収納隔壁４７の下方に形成された開口からランプ２０の光が侵入しても、自動点滅器収納隔壁４７の内壁および自動点滅器３０で反射され、自動点滅器３０の上端まで殆ど到達することはない。さらに、カバ−６５と自動点滅器３０の受光面３２は、カバ−６５に当接または近接した状態で取付けられているため、カバ−６５と自動点滅器３０との間には、殆ど、隙間は形成されておらず、ランプ２０点灯の際、このランプ２０の光を自動点滅器３０の受光面３２が受光し、ランプ２０が消灯するという誤動作が生ずることはない。
【００４７】
上記のように、器具本体４０の裏面から下方に突出したリング状の自動点滅器収納隔壁４７を設け、この収納隔壁４７の内部に形成された暗室部９０に自動点滅器３０を収納するという簡単な構造で、自動点滅器３０の誤動作を防止する効果を奏する。
【００４８】
自動点滅器３０が挿入される暗室部９０をランプソケット１７の後方に形成したので、暗室部９０はランプ２０の後方に位置する。ランプ２０の照度は、先端のほうが後端より照度が高い。このため、暗室部９０側のランプ２０による照度は低く、ランプ２０による影響は少なくなる。さらに、実施の形態で説明したように、暗室部９０の下方開口に対向して自動点滅器３０を取付ける取付板７５が器具本体４０に固定されているため、ランプ２０の光は、この取付板７５で遮られ、暗室部９０内に侵入するランプ２０の光量は減少し、自動点滅器３０の誤動作は防止される。
【００４９】
また、上記ランプ２０を、反射板５５と取付板７５の反射板７７とで構成されたランプ収納空間９５に収納し、このランプ収納空間９５の裏面側に形成された暗室部９０に自動点滅器３０を配置した構成では、ランプ２０の光は殆ど反射板５５，７７で反射され、室外を明るくために消費される。さらに、図１に示すように、ランプ収納空間９５に隙間１００が形成されている場合でも、この隙間１００から器具本体４０側に漏れるランプの光量は少なく、器具本体４０側に漏れたランプ２０の光が自動点滅器３０の受光面３２に入り、自動点滅器を誤動作することはない。
【００５０】
さらに、暗室部９０が、ランプ収納空間９５の後方裏面側に形成されている場合には、ランプ収納空間９５の隙間１００から侵入するランプの光自体が弱くなり、誤動作することはない。
【００５１】
なお、自動点滅器は実施の形態では、取付板に取付ける構造で説明をしたが、この取付板を使用することなく、直接自動点滅器を器具本体に取付ける構造であってもよい。
【００５２】
また、自動点滅器を反射板の上面に取付け、この自動点滅器を配置する暗室部を反射板の裏面側に設ける構成にしてもよい。
【図面の簡単な説明】
【００５３】
【図１】本発明の第１実施の形態に係る防犯灯の全体構造を示す一部断面図を含む正面図。
【図２】同実施の形態における上面図。
【図３】同実施の形態における上面断面図
【図４】同実施の形態における器具本体の一部とパッキング、カバ−および自動点滅器を示す断面図。
【図５】同実施の形態における取付板に自動点滅器用ソケットなどを取付けた状態を示す斜視図。
【図６】同実施の形態における側面断面図。
【図７】一般的な防犯灯を電柱に取付けた状態を示す斜視図。
【図８】一般的な防犯灯を工場などの外壁に取付けた状態を示す斜視図。
【図９】従来技術に係る防犯灯を示すもので、（Ａ）は防犯灯の全体構成を示す一部断面を含む正面図。（Ｂ）は覆板を示す斜視図。（Ｃ）は自動点滅器収納隔壁に覆板を取付けた状態を示す斜視図。
【符号の説明】
【００５４】
１７…ランプソケット，２０…ランプ，３０…自動点滅器，３２…自動点滅器用ソケット，３２…受光面，４０…器具本体，４５…採光孔，４７…自動点滅器収納隔壁，７５…取付板，９０…暗室部
【図１】
2006080097.tif 000003
【図２】
2006080097.tif 000004
【図３】
2006080097.tif 000005
【図４】
2006080097.tif 000006
【図５】
2006080097.tif 000007
【図６】
2006080097.tif 000008
【図７】
2006080097.tif 000009
【図８】
2006080097.tif 000010
【図９】
2006080097.tif 000011